(57)【要約】【課題】取付作業が容易で堅牢な構造を有し、中空の円形断面を有する左右の手摺桿端部それぞれを同時に挟持するブラケットを具備する手摺を提供すると共に、手摺桿内に電気配線を施すと同時にブラケットに電源接続口を装備した手摺を提供すること。【解決手段】設置面に取り付けられる手摺におけるブラケット１の基体３には上向き保持円弧状縁８が形成され、基体に軸着される覆体４には必要に応じて電源接続器具１９が設けられると共に上向き保持円弧状縁に対応する下向き保持円弧状縁１５が形成され、手摺桿２，２は上向き保持円弧状縁と下向き保持円弧状縁に挟着されてブラケットに保持される。手摺桿内に挿設される電気配線２０は電源接続器具に接続される。【選択図】図７
2010037750.tif 000002
【特許請求の範囲】
【請求項１】
中空の円形断面を有する手摺桿を保持するブラケットは、設置面に取り付けられる背板部両側から平行に前方に延びる両側板部それぞれに半円弧状に上方に開く上向き保持円弧状縁が形成された硬質材料製の基体と、該基体の前面を該両側板部外縁に沿って上方から下方に向けて覆う前板部が形成されると共に該前板部の上方両側が該基体の該両側板部上方に軸着され且つ該前板部両側の両突縁部にはそれぞれ該上向き保持円弧状縁に対向して半円弧状に下方に開く下向き保持円弧状縁が形成されると共に該前板部下部には該基体の該背板部下部に対する締着手段が配設される硬質材料製の覆体とよりなり、該締着手段の締め付けにより内部空間を保有した状態で該基体の該上向き保持円弧状縁と該覆体の該下向き保持円弧状縁との間に該手摺桿が挟着されて該手摺桿と該ブラケットとが一体的に固着されることを特徴とする手摺。
【請求項２】
該ブラケットの両側に別体の該手摺桿が配設され、それぞれの該手摺桿端部が該ブラケットの該内部空間に臨む位置に配設され、該基体の双方の該上向き保持円弧状縁と該覆体の双方の該下向き保持円弧状縁との間にそれぞれの該手摺桿端部が挟着されてそれぞれの該手摺桿と該ブラケットとが一体的に固着されることを特徴とする請求項１記載の手摺。
【請求項３】
該手摺桿の筒内部には、電気配線が挿設されていることを特徴とする請求項１記載の手摺。
【請求項４】
該手摺桿の筒内部には電気配線が挿設されると共に、該手摺桿端部が該ブラケットの該内部空間に臨む位置に配設され、且つ該手摺桿端縁には該電気配線の位置を筒中央付近に規制する配線挿通孔が穿孔された絶縁材料製の端部キャップが嵌合され、該電気配線の端部付近が該端部キャップの該配線挿通孔に挿通されていることを特徴とする請求項１記載の手摺。
【請求項５】
該ブラケットにおける該覆体の該前板部には電源接続器具が設置され、該手摺桿の筒内部に挿設された電気配線が該ブラケットの該内部空間に収容された配線器具を介して該電源接続器具に接続されていることを特徴とする請求項１記載の手摺。
【発明の詳細な説明】
【技術分野】
【０００１】
本発明は、建造物の壁面等に取り付けられるブラケットに手摺桿が固着される手摺、特にブラケットに電源接続器具等を装備できる手摺に関する。
【背景技術】
【０００２】
建造物の壁面に手摺を設置する場合には、建造物にブラケットを螺子止めして取付け、次いで手摺桿をブラケットに螺子止め等により固定する手段が採用されているが、より部品点数を少なくし、また簡単な取付作業で手摺桿を固定するための手段として、ブラケット根部の一方に手摺桿を周回するような可撓部分を一体的に設けておき、ブラケットに手摺桿を固定する場合には、ブラケットの可撓部分を手摺桿に周回するように巻き付けると共に、可撓部分の端部をブラケット根部の他方に嵌合して螺子止めするようにした手摺構造が既に開発されている（例えば、特許文献１参照。）。しかしながらこのようなブラケットでは可撓部分が含まれるために、ブラケットと手摺桿部分の接合が緩む可能性が存在し、また可撓部分が長期間の使用によって破損する虞がある。またこの例のみならず一般的に手摺構造は、手摺本来の目的のみを追求して製造され、手摺以外の用途に使用することを考えた例は極めて少ない。
【０００３】
【特許文献１】特許第３７３８３９８号公報
【発明の開示】
【発明が解決しようとする課題】
【０００４】
本発明が解決しようとする課題は、取付作業が容易で堅牢な構造を有し、中空の円形断面を有する左右の手摺桿端部それぞれを同時に挟持するブラケットを具備する手摺を提供すると共に、手摺桿内に電気配線を施すと同時にブラケットに電源接続口を装備した手摺を提供することにある。
【課題を解決するための手段】
【０００５】
前記課題を解決するために、本発明にかかる手摺について、中空の円形断面を有する手摺桿を保持するブラケットは、設置面に取り付けられる背板部両側から平行に前方に延びる両側板部それぞれに半円弧状に上方に開く上向き保持円弧状縁が形成された硬質材料製の基体と、該基体の前面を該両側板部外縁に沿って上方から下方に向けて覆う前板部が形成されると共に該前板部の上方両側が該基体の該両側板部上方に軸着され且つ該前板部両側の両突縁部にはそれぞれ該上向き保持円弧状縁に対向して半円弧状に下方に開く下向き保持円弧状縁が形成されると共に該前板部下部には該基体の該背板部下部に対する締着手段が配設される硬質材料製の覆体とを具備し、該締着手段の締め付けにより内部空間を保有した状態で該基体の該上向き保持円弧状縁と該覆体の該下向き保持円弧状縁との間に該手摺桿が挟着されて該手摺桿と該ブラケットとが一体的に固着されることを基本的な特徴とする。
【０００６】
また手摺桿の筒内部には、電気配線が挿設されており、ブラケットにおける覆体の前板部には電源接続器具が設置され、該手摺桿の筒内部に挿設された電気配線が該ブラケットの該内部空間に収容された配線器具を介して該電源接続器具に接続されていることを特徴とする。
【発明の効果】
【０００７】
本発明は、次のような効果を奏する。
Ａ．基体の上向き保持円弧状縁と覆体の下向き保持円弧状縁とはブラケットの両側に形成されているので、ブラケットを貫通する手摺桿を固着する手摺の場合のみならず、左右の手摺桿の端部がそれぞれブラケットの内部空間に臨む位置に配設される手摺の場合にも、それぞれの手摺桿の端部は単独のブラケットにおける左右それぞれの上向き保持円弧状縁と左右それぞれの下向き保持円弧状縁とで固着されるので、ブラケットの内部空間で電気配線の接続を行う場合等に最適である。
Ｂ．ブラケットの基体及び覆体は全て硬質材料で形成されるから堅牢な構造を有する。
Ｃ．手摺桿は、締着手段の締め付けにより内部空間を保有した状態で基体の上向き保持円弧状縁と覆体の下向き保持円弧状縁との間に挟着されるので手摺桿とブラケットとは一体的に固着され、充分な結合状態を保持することが出来る。
Ｄ．取付作業が容易である。特に手摺桿をブラケットに固着するには、設置面に取り付けられたブラケットにおける基体の上向き保持円弧状縁に手摺桿を載置し、基体に軸着された覆体を被せると、基体の上向き保持円弧状縁と覆体の下向き保持円弧状縁との間に該手摺桿が挟持され、締着手段の締め付け作業のみで手摺桿とブラケットとは一体的に固着される。
Ｅ．ブラケットは基体と覆体の間に内部空間を保有するので、配線器具等の器具を収容することが可能である。
【０００８】
Ｆ．手摺は階段の壁面に沿って設置される場合が少なくないが、階段等を掃除する場合に使用する電気掃除機の電源接続口は、従来階上や階下の床面に近接して配置されることが多く、特に長い階段の場合には電源接続口を求めて階段を登り降りしなければならない不便を生じていたが、手摺桿を給電に利用し、且つブラケットに電源接続口を装備して使用することにより、階段の途中にも電源接続口を設けることが出来るから、このような不便が解消される。
Ｇ．手摺桿の筒内部に電気配線が挿設され、またブラケットにおける覆体の前板部に電源接続器具が設置されるから、配線や器具の設置等による建造物の損傷なしに電源接続口を設置することが出来る。
Ｈ．電源接続器具が設置されたブラケットと設置されていないブラケットは同一の外形とされているから手摺全体の外見に違和感を生じない。
Ｉ．手摺桿の端縁には電気配線の位置を筒中央付近に規制する配線挿通孔を穿孔した絶縁材料製の端部キャップが嵌合され、電気配線の端部付近が端部キャップの配線挿通孔に挿通されているので、配線の乱雑化を排除し、不測の事故の発生をを防止することができる。
【発明を実施するための最良の形態】
【０００９】
本発明を実施するための最良の形態について、以下実施例において、添付図面を参照しながら具体的に説明する。
【実施例】
【００１０】
本発明の実施例について添付図面を参照して説明する。図１には本発明にかかる手摺の概要が示されている。即ち手摺は、建造物における壁面等の設置面Ｗに対して取り付けられた複数のブラケット１それぞれに円形断面の手摺桿２が保持される状態で設置されている。本発明では、後述するように、手摺桿２内に電気配線が施され、特定のブラケット１（図１において、中央のブラケット）に電源接続口が設けられ、例えば建造物の床Ｆ上において使用される電気掃除機等の電気機器Ｅ等に電力を供給することが出来るようにされた実施態様も含まれている。しかしながら手摺全体については共通な基本的構成を有しているので、先ずは手摺の基本的な態様について説明する。
【００１１】
図２には、本発明の基本的な手摺の概要が示されている。即ち円形断面の手摺桿２は、ブラケット１における設置面Ｗに直接取り付けられる基体３と基体３に軸着される覆体４とによって挟着され保持されている。図３にはブラケット１の外観が、また図４乃至図６にはブラケット１付近の関連構成がより詳細に示されている。ブラケット１の基体３は金属や硬質合成樹脂等の硬質材料で製造され、設置面Ｗに取り付けられる背板部５両側から両側板部６，６が平行に前方に延びている。ブラケット１の背板部５は設置時にアンカーボルト７によって設置面Ｗに取り付けられる。ブラケット両側板部６，６それぞれの中央部位には半円弧状に上方に開く上向き保持円弧状縁８，８が形成されており、またそれぞれの上部には後述する軸着手段のための通孔９，９が穿設され、さらに背板部５の下部には後述する締着手段のための締着螺孔１０が螺設されている。また上向き保持円弧状縁８，８には、手摺桿２の保持を補助するために延長縁１１，１１が延設されている。
【００１２】
金属または硬質合成樹脂等の硬質材料製の覆体４には基体３の前面を両側板部６，６外縁に沿って上方から下方に向けて覆う前板部１２が形成されている。そして前板部１２の上方両側に向けて芯軸１３が挿通され、芯軸１３の両端はブラケット１における両側板部６，６の通孔９，９に挿通されて覆体４における前板部１２の上方両側が基体３の両側板部６，６上方に対して軸着されている。この軸着手段は他の公知手段を使用することが可能である。前板部１２両側の両突縁部１４，１４には上向き保持円弧状縁８，８に対向して半円弧状に下方に開く下向き保持円弧状縁１５，１５が形成されている。また前板部１２下部には透孔１６が設けられ基体３の背板部５下部の締着螺孔１０に対して螺子１７を締め付けるようにした締着手段が配設されている。このようにして基体３の背板部５および両側板部６，６および覆体４で囲まれたブラケット１の内部には内部空間１８が形成される。
【００１３】
合成樹脂被覆鋼管等で製造された手摺桿２は、アンカーボルト７によって設置面Ｗに取り付けられたブラケット１における基体３の上向き保持円弧状縁８，８に載置され、次いで基体３に軸着された覆体４を回動させて覆体４の下向き保持円弧状縁１５，１５を手摺桿２上面に係合させ、さらに覆体４の透孔１６に螺子１７を挿通して基体３の締着螺孔１０に締め付けると、内部空間１８を保有した状態で基体３の上向き保持円弧状縁８，８と覆体４の下向き保持円弧状縁１５，１５との間に手摺桿２が挟着されて手摺桿２とブラケット１とが一体的に固着され、このように簡単な取付作業で充分な結合状態を保持することが出来る。またブラケット１の内部空間１８は、後述するように配線器具等を収容したり電気配線の接続を行う空間として役立つ。
【００１４】
図７乃至図１１には、手摺桿２に電気配線が挿設され、ブラケット１に電源接続口が設けられた実施態様が示されており、ブラケット１や手摺桿２の基本的な構成は前述の実施態様と同様であり、図７乃至図１１に付された符号は、図１乃至図６に付された符号と同一箇所を示す。またこの実施態様の手摺取付作業も、配線作業を除いて前記した基本的な手摺の取付作業と同様に行われる。手摺は階段の壁面に沿って設置される場合が少なくないが、階段等を掃除する場合に使用する電気掃除機の電源接続口は、従来階上や階下の床面に近接して配置されることが多く、特に長い階段の場合には電源接続口を求めて階段を登り降りしなければならない不便を生じていた。しかしながら手摺桿２を給電に利用し、ブラケット１を電源接続口として使用することにより階段の途中にも電源接続口を設けることが出来るから、このような不便が解消される。この実施態様のブラケット１は、図８に示されるように、覆体４の前板部１２に電源プラグ差込器具のような電源接続器具１９が設置された点で前述の基本的なブラケット１と相違する。ブラケット１は基体３と覆体４の間に内部空間１８を保有するので、電源接続器具１９や他の配線器具を収容することが可能である。通常電源接続口が必要な箇所に電源接続器具１９を設置したブラケット１を準備して手摺の設置作業を行うが、覆体４と基体３との軸着箇所を取り外し可能としたブラケット１を用意しておけば、電源接続器具１９が設置されていない覆体４を、電源接続器具１９が設置されている覆体４に交換することによって、電源接続器具１９が設置されていなかったブラケット１の個所について、手摺を設置した後でも電源接続口を設置することが可能となる。また手摺が設置された場合に、電源接続器具１９が設置されたブラケット１と設置されていないブラケット１とは同一の外形とされているから手摺全体の外見に違和感を生じさせない。
【００１５】
この実施態様の手摺桿２は、前述の基本的な手摺桿２とその外形は同様であるが、手摺桿２の筒内部には、電気配線２０が挿設されている。図７、図９乃至図１１に示されているように、ブラケット１を挟む左右の手摺桿２，２は、それらの端部がそれぞれブラケット１の内部空間１８に臨む位置に配設されている。このような場合にも、基体３の上向き保持円弧状縁８，８および覆体４の下向き保持円弧状縁１５，１５はブラケット１の両側に形成されているので、それぞれの手摺桿２，２を単独のブラケット１で固着することが出来る。したがってそれぞれの手摺桿２，２から内部空間１８に引き出された電気配線２０の接続を行う場合等に最適である。また手摺桿２の端縁には電気配線２０の位置を筒中央付近に規制する配線挿通孔２１が穿孔された絶縁材料製の端部キャップ２２が嵌合されており、電気配線２０の端部付近が端部キャップ２２の配線挿通孔２１に挿通されているので、配線の乱雑化を排除し、不測の事故の発生を防止している。
【００１６】
ブラケット１の内部空間１８に引き出された電気配線２０は、内部空間１８に収容された２個のコネクタ２３，２３に接続され、これらコネクタ２３，２３を経由して更に一方の手摺桿２の電気配線２０から他方の手摺桿２の電気配線２０へ接続されると共に、電源接続器具１９に接続される。このようにブラケット１内に接続器具を収納し、また配線を接続するのに充分な内部空間１８が与えられるので外部に配線等が露出することなく体裁のよい手摺が完成する。そして手摺桿２の筒内部に電気配線２０が挿設され、またブラケット１における覆体４の前板部１２に電源接続器具１９が設置されるから、配線や器具の設置等による建造物の損傷なしに電源接続口を設置することが出来る。
【図面の簡単な説明】
【００１７】
【図１】手摺の概要を示す斜視図である。
【図２】基本的な態様の手摺の概要を示す一部分解斜視図である。
【図３】基本的な態様のブラケットを示す斜視図である。
【図４】基本的な態様における手摺の縦断面図である。
【図５】図４におけるＡ−Ａ線断面図である。
【図６】図４におけるＢ−Ｂ線断面図である。
【図７】電気配線が施される態様の手摺の概要を示す一部分解斜視図である。
【図８】電源接続装置が装着されたブラケットを示す斜視図である。
【図９】電気配線が施される態様における手摺の縦断面図である。
【図１０】図９におけるＡ−Ａ線断面図である。
【図１１】図９におけるＢ−Ｂ線断面図である。
【符号の説明】
【００１８】
１  ブラケット
２  手摺桿
３  基体
４  覆体
５  背板部
６  側板部
８  上向き保持円弧状縁
１２  前板部
１４  突縁部
１５  下向き保持円弧状縁
１８  内部空間
１９  電源接続器具
２０  電気配線
２１  配線挿通孔
２２  端部キャップ
【図１】
2010037750.tif 000003
【図２】
2010037750.tif 000004
【図３】
2010037750.tif 000005
【図４】
2010037750.tif 000006
【図５】
2010037750.tif 000007
【図６】
2010037750.tif 000008
【図７】
2010037750.tif 000009
【図８】
2010037750.tif 000010
【図９】
2010037750.tif 000011
【図１０】
2010037750.tif 000012
【図１１】
2010037750.tif 000013